(57)【要約】      （修正有）【課題】ボールをクラブの打撃フェースの中心で打つことをプレイヤーに示すための特別な構造を有するゴルフクラブヘッドを提供する。【解決手段】ヘッド本体１２０は打撃フェース１２２、クラウン部、トウ部、ソール部及びネック１２４を有する。プレイヤーがフィードバック信号Ｈに応じてそのスタンス及びスイングを変更できるように、このフィードバック・システム１３０はフィードバック信号Ｈを出力するヘッド本体に配置されている。【選択図】図１
0003125585.tif 000002
【実用新案登録請求の範囲】
【請求項１】
打撃フェース及びネックを有するヘッド本体、
該ヘッド本体に配置され、前記打撃フェースがゴルフボールを打撃したときフィードバック信号を出力する接触力により作動されるフィードバック・システムを備えるゴルフクラブヘッド。
【請求項２】
前記フィードバック・システムは、前記フィードバック装置が前記打撃フェースに配置された検知装置、該検知装置と電気的に接続されたフィードバック装置を備え、前記打撃フェースが前記ゴルフボールを打撃したとき、前記検知装置は接触力により作動され、
前記フィードバック装置は前記フィードバック信号を出力することを特徴とする請求項１によるゴルフクラブヘッド。
【請求項３】
前記ヘッド本体は組立キャビティを有することを特徴とする請求項１によるゴルフクラブヘッド。
【請求項４】
前記フィードバック・システムは前記組立キャビティに組立てるのに適し前記フィードバック装置に電気的に接続される電源装置を有することを特徴とする請求項３によるゴルフクラブヘッド。
【請求項５】
前記電源装置は前記組立キャビティに組立てるのに適したキャリア、該キャリアに配置されたバッテリを備えることを特徴とする請求項４によるゴルフクラブヘッド。
【請求項６】
前記ヘッド本体はさらに、前記組立キャビティに対応する少なくとも一つの挿入穴を有する透明バックカバーを備え、前記ヘッド本体に前記透明バックカバーを取り付けるように、前記透明バックカバーは前記ヘッド本体に配置された前記フィードバック・システムをカバーするのに適し、前記キャリアを前記挿入穴及び組立キャビティに組み込むのに適することを特徴とする請求項５によるゴルフクラブヘッド。
【請求項７】
前記検知装置は圧電検知装置を有することを特徴とする請求項２によるゴルフクラブヘッド。
【請求項８】
前記検知装置は接触検知装置を有することを特徴とする請求項２によるゴルフラブヘッド。
【請求項９】
前記フィードバック装置はＬＥＤを有することを特徴とする請求項２によるゴルフクラブヘッド。
【請求項１０】
前記フィードバック装置はブザーを有することを特徴とする請求項２によるゴルフクラブヘッド。
【請求項１１】
前記フィードバック信号は光信号を有することを特徴とする請求項２によるゴルフクラブヘッド。
【請求項１２】
前記フィードバック信号は音声信号を有することを特徴とする請求項２によるゴルフクラブヘッド。
【請求項１３】
シャフト、打撃フェース及びネックを有するヘッド本体、
該ヘッド本体にまたはその内部に配置され、接触力により作動され、前記打撃フェースがゴルフボールを打撃したときフィードバック信号を出力するフィードバック・システムを備え、
前記ネックが前記シャフトと結合するのに適することを特徴とするゴルフクラブ。
【請求項１４】
前記打撃フェースに配置された検知装置、
前記ヘッド本体にまたはその内部にまたは前記シャフトに配置され、前記検知装置に電気的に接続されたフィードバック装置を備え、
前記検知装置は接触力により作動され、前記打撃フェースがゴルフボールを打撃したとき前記フィードバック装置はフィードバック信号を出力することを特徴とする請求項１３によるゴルフクラ。
【請求項１５】
前記フィードバック本体は音声信号を有することを特徴とする請求項２によるゴルフクラ。
【請求項１６】
前記フィードバック・システムは前記組立キャビティに組立て前記フィードバック装置と電気的に接続するのに適した電源装置を有することを特徴とする請求項１４によるゴルフクラブ。
【請求項１７】
前記電源装置は前記組立キャビティに組立てるのに適したキャリア、該キャリアに配置されたバッテリを備えることを特徴とする請求項１６によるゴルフクラブ。
【請求項１８】
前記ヘッド本体はさらに、前記組立キャビティに対応する少なくとも一つの挿入穴を有する透明バックカバーを備え、前記ヘッド本体に前記透明バックカバーを取り付けるように、前記透明バックカバーは前記ヘッド本体に配置された前記フィードバック・システムをカバーするのに適し、前記キャリアを前記挿入穴及び組立キャビティに組立てるのに適することを特徴とする請求項１７によるゴルフクラブ。
【請求項１９】
前記検知装置は圧電検知装置または接触検知装置を有することを特徴とする請求項１４によるゴルフクラブ。
【請求項２０】
前記フィードバック装置はＬＥＤ、ブザーまたはバイブレータを有することを特徴とする請求項１４によるゴルフクラブ。
【請求項２１】
前記フィードバック信号は光信号、音声信号または振動信号を有することを特徴とする請求項１３によるゴルフクラブ。
【請求項２２】
打撃フェース及びネックを有するヘッド本体、
該ヘッド本体のすくなくとも上方に形成された開口、
該開口と結合されるのに適する透明カバー、
該ヘッド本体にまたはその内部に配置され、前記打撃フェースがゴルフボールを打撃したときフィードバック信号を出力するように接触力により作動されるフィードバック・システムを備えるゴルフクラブヘッド。
【請求項２３】
前記フィードバック・システムは前記打撃フェースに配置された検知装置、
前記検知装置と電気的に接続されたフィードバック装置を備え、
前記検知装置は前記打撃フェースがゴルフボールを打撃したとき接触力により作動され、前記フィードバック装置はフィードバック信号を出力することを特徴とする請求項２２によるゴルフクラブ。
【請求項２４】
前記フィードバック装置はＬＥＤを有することを特徴とする請求項２２によるゴルフクラブ。
【請求項２５】
前記フィードバック装置は光信号を有することを特徴とする請求項２２によるゴルフクラブ。
【考案の詳細な説明】
【技術分野】
【０００１】
本考案は、ゴルフクラブヘッドに関する。特に、フィードバック・システムを有するゴルフクラブヘッドに関する。
【背景技術】
【０００２】
スポーツ熱心な社会において、かつてなく多くの個人がゴルフを始め、ゴルフは最も広く楽しまれているスポーツの一つになっている。しかし、従来のゴルフクラブではプレイヤーが実現しようとするクラブの打撃フェースの中心部でボールを打つことをプレイヤーに注意させる特殊なメカニズムを持っていない。一般に、ゴルフプレイヤーは、ボールと良好に接触することを望み、ゴルフプレイヤーは主観的な感覚に頼りそのスタンス及びスイングのみを調整することができる。
【０００３】
換言すれば、このゴルフクラブの打撃フェースの中心部で打たないと、ゴルフプレイヤーはボールを精確に打てないことがあるため、ボールは十分に遠く飛ばず、ボールがファールなどしてプレイヤーのポイントがずれることがある。さらに、この主観的な感覚に基づいてスタンス及びスイングを調整しようとすることは効果的なことではない。  
【考案の開示】
【考案が解決しようとする課題】
【０００４】
上述に基づき、本考案の一つの目的はボールをクラブの打撃フェースの中心で打つことを、プレイヤーに示すための特別な構造を有するゴルフクラブヘッドを提供することにある。
【０００５】
本考案の第２の目的はフィードバック信号を発生できるクラブヘッドを有するゴルフクラブを提供することにある。
【課題を解決するための手段】
【０００６】
ここで実施例とされ詳細な説明に記載のように、本考案はヘッド本体及びフィードバック・システムを提供する。ヘッド本体は打撃フェース及びネックを有する。打撃フェースの中心がボールを打つとき、フィードバック・システムは接触力により作動されフィードバック信号を出力する。
【０００７】
本考案の一つの実施の形態によれば、このフィードバック・システムは打撃フェースに配置された検知装置、該検知装置と電気的に接続されたフィードバック装置を備える。検知装置は打撃フェースのバックに配置され、フィードバック装置は検知装置と電気的に接続されている。フィードバック装置が前記ゴルフボールを打撃したとき、前記検知装置は前記打撃フェースが接触力により作動され、前記フィードバック信号を出力する。
【０００８】
本考案の一つの実施の形態によれば、前記ヘッド本体は組立キャビティを有する。
【０００９】
本考案の一つの実施の形態によれば、前記フィードバック・システムは電源装置を有する。この電源装置は前記組立キャビティに組立てるのに適し前記フィードバック装置に電気的に接続されている。
【００１０】
本考案の一つの実施の形態によれば、このゴルフクラブヘッドはキャリア及びバッテリを備える。このキャリアは前記組立キャビティに組立てるのに適し、このバッテリは該キャリアに配置されている。
【００１１】
本考案の一つの実施の形態によれば、前記ヘッド本体はさらに、前記組立キャビティに対応する少なくとも一つの挿入穴を有する透明バックカバーを備える。前記ヘッド本体に前記透明バックカバーを取り付けるように、前記透明バックカバーは前記ヘッド本体に配置された前記フィードバック・システムをカバーするのに適し、前記キャリアを前記挿入穴及び組立キャビティに組立てるのに適する。
【００１２】
本考案の一つの実施の形態によれば、前記フィードバック装置は光信号、音声信号または振動信号を有する。検知装置は圧電検知装置または接触検知装置を有する。
【００１３】
本考案はシャフト及び上述のゴルフクラブヘッドを有するゴルフクラブを提供する。ゴルフクラブヘッドのネックはシャフトと結合するのに用いられる。
【００１４】
本考案の一つの実施の形態によれば、フィードバック・システムは検知装置及びフィードバック装置を有する。この検知装置は前記打撃フェースのバックに配置され、このフィードバック装置は前記ヘッド本体にまたはその内部にまたは前記シャフトに配置されている。さらに、フィードバック装置は前記検知装置に電気的に接続されている。前記打撃フェースがゴルフボールを打撃したとき、  前記検知装置は接触力により作動され、前記フィードバック装置はフィードバック信号を出力する。
【００１５】
本考案の一つの実施の形態によれば、ヘッド本体は組立キャビティを有する。
【００１６】
本考案の一つの実施の形態によれば、前記フィードバック・システムは電源装置を有する。この電源装置は前記組立キャビティに組立て前記フィードバック装置と電気的に接続するのに適している。
【００１７】
本考案の一つの実施の形態によれば、ゴルフクラブはキャリア及びバッテリを有する。キャリアは前記組立キャビティに組立てるのに適し、バッテリは該キャリアにまたはその内部に配置されている。
【００１８】
本考案の一つの実施の形態によれば、前記検知装置は圧電検知装置または接触検知装置を有する。
【００１９】
本考案の一つの実施の形態によれば、このフィードバック装置はＬＥＤ（発光ダイオード）、ブザーまたはバイブレータを有する。
【００２０】
本考案の一つの実施の形態によれば、前記フィードバック信号は光信号、音声信号または振動信号を有する。
【００２１】
本考案は、ヘッド本体、開口、透明カバー及びフィードバック・システムを有するゴルフクラブを提供する。ヘッド本体は打撃フェース及びネックを有する。この開口は該ヘッド本体のすくなくとも上方に形成されている。さらに、透明カバーは該開口と結合されるのに適する。フィードバック・システムは該ヘッド本体にまたはその内部に配置されている。前記打撃フェースがゴルフボールを打撃したとき、フィードバック装置は接触力により作動され、フィードバック信号を出力する。
【００２２】
本考案の一つの実施の形態によれば、前記フィードバック・システムは検知装置及びフィードバック装置を備えている。検知装置は前記打撃フェースにまたはその内部に配置されている。さらに、フィードバック装置は前記検知装置と電気的に接続されている。前記打撃フェースがゴルフボールを打撃したとき前記検知装置は接触力により作動され、前記フィードバック装置はフィードバック信号を出力する。
【００２３】
本考案の一つの実施の形態によれば、前記フィードバック装置はＬＥＤを有する。
【００２４】
本考案の一つの実施の形態によれば、前記フィードバック装置は光信号を有する。
【００２５】
本考案はヘッド本体、キャリア及び緩衝装置を有するゴルフクラブヘッドを提供する。このヘッド本体は組立キャビティを有し、このキャリアは組立キャビティに組立てるのに適している。この緩衝装置は打つとき打撃フェースにより生じる衝撃を吸収するようにキャリアに配置されている。
【考案の効果】
【００２６】
本考案のゴルフクラブはフィードバック・システムを有するゴルフクラブヘッドを採用しているので、ボールを打撃フェースの中心で打つ場合、フィードバック・システムから発生するフェードバック信号により、プレイヤーは認知してどのようにスタンス及びスイングを変更するかを知ることができる。
【００２７】
上述の一般説明および下記の詳細説明は例示的なものであり、本考案を更に説明することを意図すると理解すべきである。
【考案を実施するための最良の形態】
【００２８】
本願は、本明細書及び請求項を含み、その請求項はこの考案として見なされる対象を特に指摘し、且つ明確に請求しているが、下記の説明及び添付した図面により、この考案の目的と特徴及び更なる目的、特徴とその利点が、よりよく理解される。
【００２９】
本考案のゴルフクラブは音声、光または振動を発生させてゴルフプレイヤーに注意を喚起する。例えば、ブザーは音声を出すことに用いられ、ＬＥＤは光を出すのに用いられ、バイブレータは振動を発生するのに用いられる。ゴルフボールをゴルフクラブの打撃フェースで打つとき、打撃フェース及びゴルフボール間の接触点はフィードバック・システムを作動させ、フィードバック信号を出力する。
【００３０】
本考案のゴルフクラブはボール及び打撃フェース間の接触点に基づき注意を喚起させる。本発明の一つの実施の形態において、接触点が打撃フェース内にあるかぎり、喚起は音声、光または振動により発生される。本考案の他方の実施の形態において、発生した喚起は打撃フェース内のどの接触点を打つかにより異なる。例えば、接触点がいわゆるスイートスポットの中心にある場合、その接触点はボールが打撃フェースの他方の位置に当たるとき異なる。従って、プレイヤーは、ボールがスイートスポットを打ったか否かを分かり、それに応じてそのスタンス及びスイングを調整する。
【００３１】
本考案において、打撃フェースがボールを打つとき、検知装置が接触力を検知し、喚起が発生される。一つの実施の形態において、検知装置は圧電検知装置である。打撃フェースがボールに当たると、打撃圧力がこの打撃フェースに電流を発生させ、スイッチを作動して音声、光または振動等の注意喚起を出力する。他の実施の形態において、検知装置は接触検知装置である。打撃フェースがボールに当たると、接触力が打撃フェースに作動し、音声、光または振動等の喚起を発生させる。
【００３２】
本考案の一つの実施の形態において、圧電検知装置は電流を発生し、打撃フェースがボールに当たると、打撃フェースに加えられた圧力に応じてスイッチを作動し、音声、光、振動を発生するのに必要とされる電力を提供する。音声、光、振動をより長く維持するため、十分な電力を提供する独立電源装置は必要である。従って、他本考案の他方の実施の形態において、フィードバック装置に独立の電力を提供する独立電源装置はゴルフクラブ内に選択的に配置されている。
【００３３】
電源装置はゴルフクラブヘッド本体の適切な位置に選択的に配置されていても良い。しかし、電源装置のバッテリの組立て及び分解を促進するため、本考案は出願人により台湾特許出願９３１１７４６号（２００４年６月１７日に出願）の「ゴルフクラブヘッドの緩衝装置」に記載された技術を含むことができる。上述の出願に記載された全ての実施の形態は本考案に応用することができる。ここで、説明を簡潔にするため、ゴルフクラブヘッドの緩衝装置の一つの実施の形態のみを述べる。本考案の一つの実施の形態において、組立キャビティ及び該組立キャビティに適切に組立てるキャリアはヘッド本体の適切な位置に配列されている。電源装置のバッテリは組立キャビティに配置され、キャリアは組立キャビティに組立てられている。組立キャビティ及キャリアの詳細な構造は上述の出願に記載されている。出願人は組立キャビティ及キャリアのすべての構造が本考案範囲内にあることを主張したい。
【００３４】
本考案の一つの実施の形態において、ゴルフクラブヘッドが光でプレイヤーを喚起する場合、台湾特許出願９３１３１２８号の「ゴルフクラブヘッドの組立構造」（２００４年組立キャビティ１０月２２日出願）に開示された構想を本考案に組み合わせることができる。上記の出願に記載された全部の実施の形態は本考案に応用することができる。ここで、説明を簡素化するため、ゴルフボールの内部構造を通して理解できるゴルフクラブヘッドの実施形態の一つだけを述べる。本考案の実施の形態において、ゴルフクラブヘッドはヘッド本体及び光を透過させる少なくとも一つの光学組立カバーを有する。ヘッド本体は少なくともその上方部に開口を形成している。光を透過させる光学カバーは光を透過させる光学材料からでき、その形状はヘッド本体にある前記一つの開口に対応する。ゴルフクラブヘッドの上部の重量は軽カバーにより効果的に軽減され、それによりゴルフクラブヘッドの重心位置が後下方に調整される。光は軽カバーを透過し、プレイヤーを喚起する。一つの実施の形態において、製造業者の商標またはほかのマークはその軽カバーに配置され光を透過させることができる。その結果、プレイヤーがボールを打ち且つ光喚起を作動し、商標またはマークは目立つことになる。
【００３５】
打撃フェースがゴルフバールに接触するとき、本考案のゴルフクラブヘッド本体を有するゴルフクラブは、ボールが打撃フェースの中心部で打たれたことを、フィードバック・システムを通してプレイヤーにフィードバック信号を出力し、プレイヤーに知らせる。従って、プレイヤーはそのスタンス及びスイングを効果的に変更することができる。また、本考案のゴルフクラブは透明カバー及びフィードバック・システムで特殊な視覚的効果を見せることができる。
【００３６】
本考案のヘッド本体は組立キャビティ及び該組立キャビティに組立てるのに適するキャリアを有する。電源装置のバッテリは組立キャビティに配置され、このキャリアは組立キャビティに組立てられている。さらに、ゴルフクラブの耐用年数を延ばすため、緩衝装置はボールを打つことで発生される振動及びノイズを吸収するように組立キャビティに配置されている。
【００３７】
本考案のゴルフクラブヘッドを、いくつかの具体的な実施形態を用いて説明する。
（第１実施の形態）
【００３８】
図1は本考案の第１実施の形態によるゴルフクラブの断面図を示す。図1において、ゴルフクラブ１００はシャフト１１０、ヘッド本体１２０及びフィードバック・システム１３０を有する。シャフト１１０はヘッド本体１２０に組立てられ、フィードバック・システム１３０は要求に応じてヘッド本体１２０に配置されている。具体的に、ヘッド本体１２０は打撃フェース１２２及びネック１２４を有する。打撃フェース１２２はゴルフボールを打つためである。シャフト１１０はネック１２４を介してヘッド本体１２０に組立てられている。
【００３９】
フィードバック・システム１３０は検知装置１３２、フィードバック装置１３４及び電源装置１３６を有する。図２は第１実施の形態によるゴルフクラブの打撃フェースの正面図を示す。図２において、検知装置１３２は打撃フェース１２２のバック上の中心領域Ｃに配置され、フィードバック装置１３４に電気的に接続されている。フィードバック装置１３４は電源装置１３６に電気的に接続され、それにより電源装置１３６はフィードバック装置１３４が要求する電源を提供する。
【００４０】
検知装置１３２は接触検知装置または圧電検知装置である。本実施の形態のフィードバック装置１３４は音声信号のフィードバック信号Ｈを有するブザーである。もちろん、本実施の形態はフィードバック装置１３４としてのブザーに限定されるものではない。フィードバック装置１３４はそれぞれバイブレータまたは振動信号であるフィードバック信号Ｈを有するＬＥＤ（発光ダイオード）及び光学信号でもよい。換言すれば、フィードバック信号Ｈを特定しプレイヤーを喚起することができる限り、フィードバック装置１３４は許容できる。
【００４１】
さらに具体的にいうと、電源装置１３６はキャリア１３８及びバッテリ１４０を有する。バッテリ１４０はキャリア１３８に配置され、このキャリアはナット、打撃スライスまたはインサートである。キャリア１３８及びバッテリ１４０はヘッド本体１２０の組立キャビティ１０内に組み込まれている。
【００４２】
実際には、プレイヤーがゴルフボールを打撃フェース１２２の中心領域Ｃで打つとき、打撃フェース１２２は一瞬の重圧を受けるので、その接触力が検知装置１３２を作動し、フィードバック装置１３４はフィードバック信号Ｈを出力する。打撃フェース１２２の中心領域Ｃでボールを打ったことをフィードバック信号Ｈはプレイヤーに喚起する。従って、プレイヤーはゴルフボールを精確に打ったか否かを確認してプレイヤーのスイングを高める手助けになる。
【００４３】
当然ながら、検知装置１３２は打撃フェース１２２の中心領域Ｃ以外の領域に配置されていても良い。
従ってプレイヤーがゴルフボールを打撃フェース１２２の中心領域Ｃ以外で打つとき、検知装置１３２が作動され、フィードバック装置１３４はフィードバック信号Ｈを出力する。打撃フェース１２２の中心領域Ｃでボールを打たなかったことをフィードバック信号Ｈはプレイヤーに喚起し、それによりプレイヤーはそのスタンス及びスイングを変更することができる。
【００４４】
検知装置１３２が圧電検知装置の場合、この圧電検知装置は打撃フェース１２２上のボールによりもたされた圧力を電流に転送し、この電流はフィードバック装置１３４に伝達され、フィードバック信号Ｈを出力する。従って、電源装置１３６は必須ではない。
【００４５】
図３は第１の実施の形態による他のゴルフクラブの断面図を示す。図３において、フィードバック装置１３４はヘッド本体１２０の背面に配置されている。打撃フェース１２２がボールに当たると、検知装置１３２は接触力により作動され、フィードバック信号Ｈはフィードバック装置１３４から出力される。フィードバック信号Ｈはフィードバック装置１３４の異なるタイプによる音声信号、振動信号または光信号である。
【００４６】
さらに、透明バックカバー１５０はフィードバック装置１３４を保護するように配置され、該透明バックカバー１５０に製造メーカの商標またはキャラクタを印刷することができる。透明バックカバー１５０の材料は好ましくはプラスチックまたは光を透過させる他の材料である。透明バックカバー１５０の形状は図３に示された一つに限定されるものではない。実際に、透明バックカバー１５０は組立キャビティ１０に対応する少なくとも一つの挿入穴１０aを有する。図３には、２つの挿入穴１０aが示されている。挿入穴１０aの数は組立キャビティ１０の数に対応する。
【００４７】
透明バックカバー１５０はヘッド本体１２０に取り付けられ、それによりフィードバック・システム１３０をヘッド本体１２０の裏面内に覆っている。透明バックカバー１５０はキャリア１３８により取り付けられ、キャリア１３８は挿入穴１０a及び組立キャビティ１０と同時に組み込まれる。従って、透明バックカバー１５０は製造メーカの商標を表示するだけではなく、フィードバック・システム１３０を保護する機能をもっている。キャリア１３８はナットまたはインサートである。キャリア１３８はバッテリを保持し、バッテリ１４０をヘッド本体１２０の組立キャビティ１０に組み込むのに適している。
（第２の実施の形態）
【００４８】
図４は第２の実施の形態によるゴルフクラブの断面図を示している。図４を参照すると、フィードバック装置２３４はシャフト２１０の端部に配置されブザー、バイブレータまたはＬＥＤであることを示している。従って、フィードバック装置２３４はプレイヤーの眼、手、及び耳からより近く位置することができ、プレイヤーがフィードバック装置２３４からのフィードバック信号Ｈを感知することを促進させる。フィードバック装置２３４の位置は本考案に限定されるものではない。プレイヤーがフィードバック信号Ｈを受けることができる限り、フィードバック装置２３４はどの位置に配置されていてもよい。
（第３の実施の形態）
【００４９】
図５は第３の実施の形態によるゴルフクラブの断面図を示している。図５を参照すると、この第３の実施の形態のゴルフクラブヘッドは下記に詳細に述べているように開口、透明カバー、キャリア及び緩衝の緩衝装置を組み合わせている。本第１の実施の形態に比べると、第３の実施の形態のゴルフクラブヘッドはより多くの機能をもっている。
【００５０】
第３の実施の形態のゴルフクラブ３００は開口３０、シャフト３１０、ヘッド本体３２０、フィードバック・システム３３０、透明カバー３４０、組立キャリア３５０及び緩衝装置３６０を有する。この開口３０は少なくともヘッド本体３２０の上部に配置され、透明カバー３４０を組み合わせるのに適している。
【００５１】
ヘッド本体３２０は組立キャビティ４０、ヘッド本体３２２及びネック３２４を有する。組立キャビティ４０は組立キャリア３５０及び緩衝装置３６０（下記に述べる）の組立てに適している。ネック３２４はシャフト３１０と結合している。フィードバック・システム３３０は実際の要求に応じてヘッド本体３２０に位置されていてもよい。
【００５２】
さらに具体的に言うと、フィードバック・システム３３０はヘッド本体３２０及びネック３３４を有する。ヘッド本体３２０は圧電検知装置であり、ネック３３４はＬＥＤである。実際に、打撃フェースがボールに当たるときこの圧電検知装置は作動され、次いで、圧電検知装置はＬＥＤに電流を生成し、プレイヤーにフィードバックする光信号（フィードバック信号Ｈ）を出力する。このＬＥＤからの光信号は透明カバー３４０を通して伝達され、明確な視覚効果を発生する。
【００５３】
図５において、実施の形態の組立キャリア３５０はナット、打撃スライスまたはインサートである。緩衝装置３６０は例えば気泡ゴム、エポキシ、ポリエチレンまたはこれらの材料の組合せの緩衝吸収制振材である。緩衝装置３６０は組立キャリア３５０に配置され、組立キャリア３５０とともに組立キャビティ４０に組み込まれている。実際に、ゴルフクラブ３００でボールを打つと、ボールを打つことにより生じるノイズを軽減するため、緩衝装置３６０はヘッド本体３２０の衝撃を吸収し、それによりゴルフクラブ３００の耐用年数を延ばしている。
【００５４】
要約すれば、本考案のゴルフクラブは下記のような利点を有する。
1．フィードバック・システムを有するゴルフクラブは明確なフィードバックメカニズムを通してプレイヤーのスタンス及びスイングの変更を助け、それにより練習の効果が向上される。
2.  本考案のゴルフクラブは特殊な視覚効果を見せるようにフィードバック・システムと透明カバーを組合せている。
３.  本考案のゴルフクラブの緩衝装置はボール打つ衝撃及びノイズを吸収し、それによりゴルフクラブの耐用年数が延長される。
【００５５】
以上、本発明のより好ましい実施の形態について説明したが、これは本発明を限定するものではない。本発明の範囲内、発明の精神から逸脱しない限り、当業者により上記の実施の形態の均等変化や若干の変更は可能である。上記の記載を鑑み、ここで本発明の権利範囲、均等変化内にあるものは本発明にカバーされるものであることを主張する。
【図面の簡単な説明】
【００５６】
【図１】本考案の第１の実施の形態によるゴルフクラブを図示する断面図である。
【図２】本考案の第１の実施の形態によるゴルフクラブの打撃フェースを図示する正面図である。
【図３】第1の実施の形態による他のゴルフクラブを図示する断面図である。
【図４】本考案第２実施の形態によるゴルフクラブを図示する断面図である。
【図５】本考案第３実施の形態によるゴルフクラブを図示する断面図である。
【符号の説明】
【００５７】
１０          組立キャビティ
１００      ゴルフクラブ
１１０      シャフト
１２０      ヘッド本体
１２２      打撃フェース
１２４      ネック
１３０      フィードバック・システム
１３４      フィードバック装置
１３６      電源装置
１３８      キャリア
１４０      バッテリ
Ｈ          フィードバック信号
【図１】
0003125585.tif 000003
【図２】
0003125585.tif 000004
【図３】
0003125585.tif 000005
【図４】
0003125585.tif 000006
【図５】
0003125585.tif 000007
【手続補正書】
【提出日】平成18年7月13日(2006.7.13)
【手続補正２】
【補正対象書類名】実用新案登録請求の範囲
【補正対象項目名】請求項１４
【補正方法】変更
【補正の内容】
【請求項１４】
前記打撃フェースに配置された検知装置、
前記ヘッド本体にまたはその内部にまたは前記シャフトに配置され、前記検知装置に電気的に接続されたフィードバック装置を備え、
前記検知装置は接触力により作動され、前記打撃フェースがゴルフボールを打撃したとき前記フィードバック装置はフィードバック信号を出力することを特徴とする請求項１３によるゴルフクラブ。
【手続補正３】
【補正対象書類名】実用新案登録請求の範囲
【補正対象項目名】請求項１５
【補正方法】変更
【補正の内容】
【請求項１５】
前記フィードバック本体は音声信号を有することを特徴とする請求項２によるゴルフクラブヘッド。